Podtech/llm-jp-corpus-v4-ja_patent huggingface dataset:
【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
ａ）約５ミル〜約１５ミルの厚さを有し、かつ６０°の入射角度で測定するときに約８５％を超える光反射率および約１０％未満の光沢度を有する少なくとも１つの無着色のフラッシュ紡糸網状フィラメントフィルム−フィブリルシートを含む前面および後面を有する二重目的の光反射性支持基材；および
ｂ）基材の前面を覆う光拡散層であって、拡散増進粒子を含有する光透過性で溶融加工可能なポリマーを含む、約０．２ミル〜約１５ミルの厚さを有する光拡散層；
を含む反射型投影スクリーンであって、
投影スクリーンの光学利得が約０．９０〜約２．０であり、および光学利得の偏差が、−６０°〜＋６０°の観察角にわたって約８％以下である、反射型投影スクリーン。
【手続補正２】
【補正対象書類名】明細書
【補正対象項目名】００３５
【補正方法】変更
【補正の内容】
【００３５】
【表２】
2011513793.tif 000001
また、好ましい実施態様として、本発明を次のように構成することもできる。
１．  ａ）約５ミル〜約１５ミルの厚さを有し、かつ６０°の入射角度で測定するときに約８５％を超える光反射率および約１０％未満の光沢度を有する少なくとも１つの無着色のフラッシュ紡糸網状フィラメントフィルム−フィブリルシートを含む前面および後面を有する二重目的の光反射性支持基材；および
ｂ）基材の前面を覆う光拡散層であって、拡散増進粒子を含有する光透過性で溶融加工可能なポリマーを含む、約０．２ミル〜約１５ミルの厚さを有する光拡散層；
を含む反射型投影スクリーンであって、
投影スクリーンの光学利得が約０．９０〜約２．０であり、および光学利得の偏差が、−６０°〜＋６０°の観察角にわたって約８％以下である、反射型投影スクリーン。
２．  光拡散層が、溶融加工可能なポリマーの重量を基準として拡散増進粒子を約１０重量％未満含む、上記１に記載の投影スクリーン。
３．  基材が、ポリエチレン、ポリプロピレン、ポリエステル、アセチルポリオキシメチレン樹脂、ポリアミドからなる群から選択されるポリマーを含む、上記１に記載の投影スクリーン。
４．  光拡散層が、ポリエチレンポリマーおよびブレンド、ポリプロピレンポリマー、プロピレンとエチレンとのコポリマー、エチレンコポリマー、エチレンと酢酸ビニルとのコポリマー、エチレンとアクリレートとのコポリマー、エチレンコポリマーのブレンド、エチレンとＥ／ＭＡＭＥとのコポリマーのＥ／ＭＡＭＥとのブレンドからなる群から選択されるポリマーを含む、上記１に記載の投影スクリーン。
５．  拡散増進粒子が、二酸化チタンおよび炭酸カルシウムからなる群から選択される顔料を含む、上記１に記載の投影スクリーン。
６．  不透明剤を含有する溶融加工可能なポリマーを含み、基材の後面を覆う裏打ち層をさらに含む、上記１に記載の投影スクリーン。
７．  拡散層が、キャスティング、押出、加熱積層または接着積層によって基材の表面上に形成される、上記１に記載の投影スクリーン。
【手続補正書】
【提出日】平成24年2月3日(2012.2.3)
【手続補正１】
【補正対象書類名】明細書
【補正対象項目名】０１３１
【補正方法】変更
【補正の内容】
【０１３１】
このカチオン性色素は、例えばシアニン色素、トリアリールメタン系色素、アンモニウム系色素およびジアンモニウム（diammonium）系色素から選ばれる。
【手続補正２】
【補正対象書類名】明細書
【補正対象項目名】０１７９
【補正方法】変更
【補正の内容】
【０１７９】
溶媒系現像液は、通常は、水と混合可能な１種もしくは２種以上の有機溶媒の単一相の溶液である。有用な有機溶媒としては、フェノールの、エチレンオキシドおよびプロピレンオキシドとの反応生成物［例えば、エチレングリコールフェニルエーテル（フェノキシ−エタノール）］、ベンジルアルコール、エチレングリコールおよびプロピレングリコールの、６個以下の炭素原子を有する酸とのエステル、およびエチレングリコール、ジエチレングリコール、およびプロピレングリコールの、６個以下の炭素原子を有するアルキル基とのエーテル、例えば２−エトキシエタノールおよび２−ブトキシエタノール、が挙げられる。有機溶媒は、通常は、現像液の全体の質量を基準として、約０．５〜約１５質量％の量で存在する。これらの現像液が好ましい。
【手続補正３】
【補正対象書類名】明細書
【補正対象項目名】０１９０
【補正方法】変更
【補正の内容】
【０１９０】
Ｋａｙａｍｅｒ  ＰＭ−２：日本化薬／日本から入手可能な、１モルのリン酸および１．５モルのヒドロキシエチルメタクリレートのエステル
モノマー１：NK-Ester BPE-200（Shin Nakamura／日本から入手可能な、メタクリル末端基を有するエトキシル化ビスフェノールＡ）を１部および、Desmodur（登録商標）N100（Bayer／独国から入手可能な、３官能性イソシアネート＝ヘキサメチレンジイソシアネートのビウレット）を、ヒドロキシエチルアクリレートおよびペンタエリスリトールトリアクリレートと反応させることによって得たオリゴマー（このオリゴマー中の二重結合の量は、全てのイソシアネート基が反応してしまった場合に、１００ｇ当たりに０．５の二重結合）の、メチルエチルケトン中の８０％溶液を３部の混合物
モノマー２：CN2302（Sartomer Corp.からのポリエステルアクリレート）を１部および、１モルのDesmodur（登録商標）N100（Bayer／独国から入手可能な、３官能性イソシアネート＝ヘキサメチレンジイソシアネートのビウレット）＋２モルのグリセロールジメタクリレート＋１モルのポリエチレングリコールメタクリレートの反応によって得たオリゴマーのメチルエチルケトン中の３０質量％溶液を３部の混合物
モノマー３：CN2302を１部および、２モルのヘキサメチレンジイソシアネート＋２モルの２−ヒドロキシエチルメタクリレート＋１モルの２−（２−ヒドロキシエチル）−ピペリジンの反応によって得たオリゴマーのメチルエチルケトン中の３０質量％溶液を３部の混合物
【手続補正４】
【補正対象書類名】特許請求の範囲
【補正対象項目名】全文
【補正方法】変更
【補正の内容】
【特許請求の範囲】
【請求項１】
（ａ）７００〜１２００ｎｍの範囲の輻射線を吸収することができる増感剤色素、
（ｂ）露光された該増感剤色素と相互作用してラジカルを発生する開始剤、
（ｃ）フリーラジカル重合性成分、および
（ｄ）場合によっては、ポリマーバインダー、
を含んでなる輻射線感受性組成物であって、該増感剤色素は、テトラアリールボレートアニオンを有するカチオン性色素であり、そして該開始剤はトリアリールスルホニウムテトラアリールボレート、ジアゾニウムテトラアリールボレート、ホスホニウムテトラアリールボレート、およびＮ−複素環式オニウムテトラアリールボレート、から選ばれるオニウム化合物であり、ここでＮは−ＯＲで置換されており、ここでＲは、場合によっては置換されていてもよいヒドロカルビル基である、輻射線感受性組成物。
【請求項２】
前記オニウム化合物が、トリアリールスルホニウムテトラアリールボレートである、請求項１記載の組成物。
【請求項３】
前記オニウム化合物が、Ｎ−アルコキシピリジニウムテトラアリールボレートである、請求項１記載の組成物。
【請求項４】
前記増感剤の前記テトラアリールボレートアニオンが、テトラフェニルボレートである、請求項１〜３のいずれか１項記載の組成物。
【請求項５】
前記オニウム化合物の前記テトラアリールボレートアニオンが、テトラフェニルボレートである、請求項１〜３のいずれか１項記載の組成物。
【請求項６】
前記増感剤色素の前記アニオンおよび前記オニウム化合物の前記アニオンの両方が、テトラフェニルボレートである、請求項１〜５のいずれか１項記載の組成物。
【請求項７】
基材を含むネガ型平板印刷版前駆体であって、該基材上に、請求項１〜６のいずれか１項記載の輻射線感受性組成物を含む画像形成性層を有してなる、ネガ型平板印刷版前駆体。
【請求項８】
Ａ）請求項７記載のネガ型平板印刷版前駆体を、前記増感剤に吸収される７００〜１２００ｎｍの範囲の波長の輻射線に像様に露光させる工程、
Ｂ）該画像形成性層の非露光領域のみを取り除くように、像様に露光された前記前駆体を現像する工程、
を含む、平板印刷版の製造方法。
【請求項９】
請求項１〜６のいずれか１項記載の輻射線感受性組成物を、基材に適用することを含む、請求項７記載の平板印刷版前駆体の製造方法。
【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
角度測定システムにおいて、第一部品グループ（１）と第二部品グループ（２）を含んでおり、第一部品グループ（１）が第二部品グループ（２）に対して相対的に、軸（Ａ）を中心に回転自在で支承されており、そして
第一部品グループ（１）が、軌道面（１．１４）を備えたリング（１．１）と角度スケール（１．２１）を有しており、
第二部品グループ（２）が、角度スケール（１．２）を走査するセンサ（２．２）および、走査により発生可能なセンサ（２．２）の信号を演算する電子回路（２．３１）を備えたプリント基板（２．３）を有しており、
更に第二部品グループ（２）は、塊の状態のリング（２．１）を含み、
そのリングに別の軌道面（２．１４）が配設されており、そして
そのリングが、プリント基板（２．３）を収容するための第一切り取り部（２．１１）および、電気導線（２．４）を収容するための第二切り取り部（２．１２）を有しており、
その電気導線（２．４）が、センサ（２．３）から間隔をおいて配設された電子回路（２．３１）と、センサ（２．２）を電気的に接続しており、
前記第一切り取り部（２．１１）が前記リング（２．１）の外周に開口を有し、第一切り取り部（２．１１）が、プリント基板（２．３）を軸（Ａ）に向かう方向で第一切り取り部（２．１１）の中に挿入できるように構成されており、
第二部品グループ（２）のリング（２．１）にある第一切り取り部（２．１１）の長さ（Ｈ）が、軸（Ａ）に対して平行な方向で、円周方向における第一切り取り部（２．１１）の長さ（Ｕ）と較べて大きい、ことを特徴とする角度測定システム。
【請求項２】
請求項１に記載の角度測定システムにおいて、
第二部品グループ（２）のリング（２．１）が、センサ（２．２）を収容するための第三切り取り部（２．１３）を有している、ことを特徴とする角度測定システム。
【請求項３】
前記請求項１又は２に記載の角度測定システムにおいて、
第二部品グループ（２）のリング（２．１）が、金属製リングとして、特に鋼製リングとして構成されている、ことを特徴とする角度測定システム。
【請求項４】
前記請求項１〜３のいずれかに記載の角度測定システムにおいて、
第一切り取り部（２．１１）の長さ（Ｈ）が、第二切り取り部（２．１２）の長さ（ｈ）と較べて、それぞれ軸（Ａ）に対して平行な方向に関して大きい、ことを特徴とする角度測定システム。
【請求項５】
前記請求項１〜４のいずれかに記載の角度測定システムにおいて、
電気導線（２．４）が、異なった外寸（Ｂ，ｄ）を備えた断面を有しており、そこで電気導線（２．４）の大きい方の外寸（Ｂ）が軸（Ａ）に平行な方向に配設されている、ことを特徴とする角度測定システム。
【請求項６】
前記請求項１〜５のいずれかに記載の角度測定システムにおいて、
第三切り取り部（２．１３）が、センサ（２．２）を軸（Ａ）から離れて行く方向で第三切り取り部（２．１３）の中に挿入できるように構成されている、ことを特徴とする角度測定システム。
【請求項７】
前記請求項１〜６のいずれかに記載の角度測定システムにおいて、
角度スケール（２．１２）が、方向要素を使って軸（Ａ）に平行に並んでいる、ことを特徴とする角度測定システム。
【請求項８】
前記請求項１〜７のいずれかに記載の角度測定システムにおいて、
角度スケール（１．２）が、異なった磁気極性を有する範囲で構成されている、ことを特徴とする角度測定システム。
【請求項９】
請求項８に記載の角度測定システムにおいて、
センサ（２．２）が、ＭＲセンサまたはホールセンサとして構成されている、ことを特徴とする角度測定システム。
【請求項１０】
前記請求項１〜９のいずれかに記載の角度測定システムにおいて、
第一部品グループ（１）と第二部品グループ（２）および転動体（３）が、第一部品グループ（１）と第二部品グループ（２）が軸方向で互いに隙間なしで配設されるように構成されている、ことを特徴とする角度測定システム。
【請求項１１】
前記請求項１〜１０のいずれかに記載の角度測定システムにおいて、
第一部品グループ（１）と第二部品グループ（２）がそれぞれ二つの軌道面（１．１４、２．１４）を有し、その間にそれぞれ転動体（３）が配設されており、そこで角度スケール（１．２１）が、軸方方向でこの軌道面（１．１４、２．１４）の間に配設されている、ことを特徴とする角度測定システム。
【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
頭頸部扁平上皮細胞癌（ＨＮＳＣＣ）患者がＥＧＦＲ経路を標的化する薬物による処置の恩恵を受ける見込みがあるかどうかを決定する方法であって、
ａ）ＨＮＳＣＣ患者の血液ベースのサンプルからマススペクトルを得ること；
ｂ）工程ａ）で得られたマススペクトルに対して１以上の予め規定した前処理工程を行うこと；
ｃ）工程ｂ）のマススペクトルに対する前処理工程を行った後に、１以上の予め規定したｍ／ｚ範囲での該スペクトルにおける選択した特徴の積分強度値を求めること；および
ｄ）そのＨＮＳＣＣ患者が該薬物による処置の恩恵を受ける見込みがある患者なのかその見込みのない患者なのかを同定するために、他の癌患者由来の血液ベースのサンプルから作成した分類標識されたスペクトルを含んでなるトレーニングセットを用いて工程ｃ）で得た数値を分類アルゴリズムに用いること
を含んでなり、
ＥＧＦＲ経路を標的化する薬物が、小分子の上皮細胞増殖因子受容体チロシンキナーゼ阻害剤およびモノクローナル抗体上皮細胞増殖因子受容体阻害剤からなる群から選択される、方法。
【請求項２】
１またはそれ以上のｍ／ｚ範囲が、
５７３２〜５７９５
５８１１〜５８７５
６３９８〜６４６９
１１３７６〜１１５１５
１１４５９〜１１５９９
１１６１４〜１１７５６
１１６８７〜１１８３１
１１８３０〜１１９７６
１２３７５〜１２５２９
２３１８３〜２３５２５
２３２７９〜２３６２２および
６５９０２〜６７５０２
からなるｍ／ｚ範囲の群から選択される１以上のｍ／ｚ範囲を含んでなる、請求項１記載の方法。
【請求項３】
マススペクトルがＭＡＬＤＩ質量分析計により得られる、請求項１記載の方法。
【請求項４】
予め規定された前処理工程が、バックグラウンド除去スペクトルを作成するバックグラウンド除去工程と、バックグラウンド除去スペクトルの正規化を行う正規化工程を含んでなる、請求項１記載の方法。
【請求項５】
トレーニングセットが、非小細胞肺癌患者由来の血液ベースのサンプルから作成した分類標識されたスペクトルを含んでなる、請求項１記載の方法。
【手続補正書】
【提出日】平成24年1月6日(2012.1.6)
【手続補正１】
【補正対象書類名】特許請求の範囲
【補正対象項目名】全文
【補正方法】変更
【補正の内容】
【特許請求の範囲】
【請求項１】
ｎ≧３として、ｎ個のプローブ（２）を備え、前記プローブの各々がコイル（４）が設けられた磁性合金の磁心（３）を備えた磁場センサ（１）の製造方法であって、下記の工程を備えることを特徴とする、製造方法。
・非磁性の基板（５）上の、交点に集まる軸（ｘ，ｙ，ｚ）に沿って延びるとともに交差領域（ｚ）により互いに接続するｎ個の帯状体（６）に対応する表面の少なくとも一部または全部への、前記磁性合金の磁心（３）の堆積を実施する工程。
・前記堆積の前または後に、少なくとも１つの接続部（７）により当該帯状体（６）が前記基板（５）に接続された状態を保ちながら、前記基板（５）に切れ目を入れてｎ個の前記帯状体（６）の輪郭を形成する工程。
・帯状体（６）の各々にコイル（４）を設ける工程。
・少なくとも１つの帯状体（６）を、当該帯状体（６）の軸に垂直な折り目に沿って折り曲げる工程。
【請求項２】
前記接続部（７）を除去して、前記基板（５）から当該センサを取り外すことを特徴とする、請求項１に記載の製造方法。
【請求項３】
下記の工程を備えることを特徴とする、請求項１または２に記載の製造方法。
・少なくとも１つの接続部（７）が残された状態で、前記帯状体（６）の輪郭に沿って切れ目を入れて前記磁性合金の磁心（３）の輪郭を形成する工程。
・必要に応じて、前記磁性合金の磁心（３）を前記帯状体の間の前記交差領域から除去し、前記帯状体の間において前記磁性合金の磁心を分離する工程。
【請求項４】
前記磁性合金の磁心（３）の前記堆積の工程が、少なくとも１つのナノ結晶合金または他のタイプの磁性合金の層を前記基板（５）上に被着させる工程であることを特徴とする、請求項１〜３のいずれか一項に記載の製造方法。
【請求項５】
前記磁性合金の磁心（３）の前記堆積の工程が、前記基板（５）の一部または全部に前記合金を真空蒸着させる工程であることを特徴とする、請求項１〜３のいずれか一項に記載の製造方法。
【請求項６】
前記磁性合金の磁心（３）の前記堆積の工程が、ポリマーによりコーティングされた粉末状の磁性合金をセリグラフィー（serigraphie）する工程であることを特徴とする、請
求項１〜３のいずれか一項に記載の製造方法。
【請求項７】
帯状体（６）の各々に、筒状コイル（４）を、前記帯状体上を滑らせて配置することを特徴とする、請求項１に記載の製造方法。
【請求項８】
帯状体（６）の各々に扁平コイル（４）を設けることを特徴とする、請求項１に記載の製造方法。
【請求項９】
扁平コイル（４）を、前記基板（５）の帯状体（６）の各々に配置し、絶縁体（１２）を介してナノ結晶合金の磁心（３）に被着させることを特徴とする、請求項８に記載の製造方法。
【請求項１０】
前記帯状体の延伸方向に沿って幅および形状が変化するように、前記磁性合金の磁心（３）を各々の帯状体（６）に堆積させることを特徴とする、請求項１〜９のいずれか一項に記載の製造方法。
【請求項１１】
下記の工程を含むことを特徴とする、請求項１に記載の製造方法。
・３つの帯状体（６）の輪郭を、２つの帯状体が互いに直交する軸（ｘ，ｙ）に沿って延び、第３の帯状体の軸（ｚ）が隣り合う帯状体の軸との間に約１３５度の角度を形成するように、切れ目を入れることにより形成する工程。
・前記第３の帯状体の延伸方向の軸が、他の２つの前記帯状体の軸により形成される平面との間に所定の角度を形成するように、前記第３の帯状体を折り曲げる工程。
【請求項１２】
ｎ≧３として、ｎ個のプローブ（２）を備え、前記プローブの各々が、コイル（４）が設けられている磁性合金の磁心（３）を備えた磁場センサであって、ｎ個の前記プローブが、交差領域（ｚ）を介して互いに接続されているとともに交点（Ｉ）に集まるｎ個の軸（ｘ；ｙ，ｚ，ｔ…）に沿って延びる、共通の基板（５）のｎ個の帯状体（６）を備えることを特徴とする、磁場センサ。
【請求項１３】
前記磁性合金の磁心（３）として、帯状体（６）に被着している少なくとも１つのナノ結晶合金の層を備えることを特徴とする、請求項１２に記載の磁場センサ。
【請求項１４】
筒状コイル（４）が、前記基板（５）の帯状体（６）の各々の上を滑らせて配置されていることを特徴とする、請求項１２に記載の磁場センサ。
【請求項１５】
扁平コイル（４）が、前記基板（５）の帯状体（６）の各々に固着していることを特徴とする、請求項１２に記載の磁場センサ。
【請求項１６】
磁性合金の磁心（３）の各々が、関連する前記基板の前記帯状体（６）が延びる軸に沿って変化する幅および形状を有することを特徴とする、請求項１２または１３に記載の磁場センサ。
【請求項１７】
磁性合金の磁心（３）の各々が、前記磁心の各々の中央の部分を基準にして、前記帯状体が延びる軸に対して徐々に減少または増加する幅を有することを特徴とする、請求項１６に記載の磁場センサ。
【請求項１８】
磁性合金の磁心（３）の各々が、当該磁心が結合した前記プローブの飽和領域を形成する、前記帯状体が延びる軸を中心とする少なくとも１つの狭窄領域（１５）を有することを特徴とする、請求項１６に記載の磁場センサ。
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
フライ油の品質を評価する方法であって、
遊離脂肪酸含有量を潜在的に含むフライ油を提供する工程と、
油吸収試料基材を提供する工程であって、
ここで、前記試料基材は複数のテストゾーンを含み、
前記各テストゾーンは遊離脂肪酸に反応性である、工程と、
前記油の試料が、前記各テストゾーンの少なくとも一部分と接触するように、前記油を前記試料基材と接触させる工程と、
前記複数のテストゾーンに光を向ける工程と、
各テストゾーンから反射した光の量を測定する工程と、
各テストゾーンから反射した光の量に比例する信号を生成する工程と、
集積信号を提供するために前記信号を積算する工程と、
前記集積信号を前記油の前記遊離脂肪酸含有量と相関させる工程と、
前記油の前記油の品質の表示を報告する工程であって、
前記表示が前記油の前記遊離脂肪酸含有量と関連付けられている、工程と、
を含む方法。
【請求項２】
フライ油の品質を評価する方法であって、
複数の光源／光検知器の一組を備える読み取り呼出しデバイスを提供する工程と、
油吸収試料基材を提供する工程であって、
前記試料基材は複数のテストゾーンを含み、
前記テストゾーンは遊離脂肪酸に反応性である、工程と、
遊離脂肪酸含有量を潜在的に含むフライ油を提供する工程と、
前記油の試料が、前記テストゾーンのそれぞれの少なくとも一部分と接触するように、前記油を前記試料基材と接触させる工程と、
複数の光源／光検知器／テストゾーンのセットを提供するために光源／光検知器の一組のそれぞれがテストゾーンに近接して定置されるように、前記読み取り呼出しデバイス及び前記試料基材を位置決めする工程と、
光源／光検知器／テストゾーンのセットのそれぞれに関して、前記光源からの光を前記テストゾーンに向ける工程と、そこからの反射光を前記光検知器によって測定する工程と、前記測定された反射光と比例する信号を生成する工程と、
結合信号を提供するために、前記光検知器からの前記信号を組み合わせる工程と、
前記読み取り呼出しデバイスに格納された情報に基づいて、前記結合信号を前記油の前記遊離脂肪酸含有量と相関させる工程と、
前記油の前記油品質の表示を報告する工程であって、前記表示が前記油の前記遊離脂肪酸含有量と関連付けられている、工程と、
を含む方法。
【請求項３】
フライ油の品質を評価するシステムであって、
油吸収試料基材と、
前記試料基材が複数のテストゾーンを含み、
前記テストゾーンのそれぞれが遊離脂肪酸に反応性であり、
複数の光源／光検知器の一組を備える光学的読み取り呼出しデバイスと、を含み、
前記読み取り呼出しデバイス及び前記試料基材が、複数の光源／光検知器／テストゾーンのセットを提供するために、光源／光検知器の組のそれぞれがテストゾーンに近接して定置されることができるように構成され、
前記読み取り呼出しデバイス及び前記試料基材が、光源／光検知器／テストゾーンのセットのそれぞれに関して、前記読み取り呼出しデバイス及び前記試料基材を相対移動させずに、そこから信号を受信するためにそれぞれのテストゾーンが前記光源／光検知器の一組によって光学的に読み取り呼出しされることができるように、更に構成され、
前記読み取り呼出しデバイスが、前記テストゾーンから受信した前記信号を結合信号へと組み合わせる手段と、前記結合信号を前記油の前記遊離脂肪酸含有量と相関させる手段と、前記油の前記油の品質の表示を報告する手段と、を含み、前記表示が前記油の前記遊離脂肪酸含有量と関連付けられている、システム。
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
検知された音圧を前処理されたアナログ電気信号に変換するように構成された音響センサと、
前記前処理されたアナログ信号を、アナログ−デジタルコンバータに供給するのに適切な後処理されたアナログ電気信号に変換するように構成されたアナログ処理回路と、
前記後処理されたアナログ電気信号をデジタル信号に変換するように構成されたアナログ−デジタルコンバータと、
前記アナログ−デジタルコンバータによって供給された前記デジタル信号と、エコーが検出される送信された音響信号の搬送波とほぼ同一周波数の正弦波とをデジタル的に混合するように構成された正弦ミキサと、
前記アナログ−デジタルコンバータによって供給された前記デジタル信号と、エコーが検出される送信された音響信号の搬送波とほぼ同一周波数の余弦波とをデジタル的に混合するように構成された余弦ミキサと、
前記正弦ミキサから受信した信号の少なくとも派生物及び前記余弦ミキサから受信した信号の少なくとも派生物によって表されるベクトルの大きさを検出するベクトル大きさ検出機構と、
エコーが検出されたか否かを決定するために前記ベクトルの大きさと一つ以上のしきい値とを比較するしきい値検出回路と、
を備えたエコー検出回路。
【請求項２】
前記正弦ミキサと前記ベクトル大きさ検出機構との間に配置された正弦ローパスフィルタと、
前記余弦ミキサと前記ベクトル大きさ検出機構との間に配置された余弦ローパスフィルタと、
を更に備えた請求項１に記載のエコー検出回路。
【請求項３】
前記しきい値検出回路は、
前記ベクトルの正弦成分が正弦しきい値より上であるか否かを決定する動作と、
前記ベクトルの余弦成分が余弦しきい値より上であるか否かを決定する動作と、
前記ベクトルが斜め線のしきい値を超えているか否かを決定する動作と、
を実行することによって、前記ベクトルの大きさと一つ以上のしきい値とを比較する請求項１に記載のエコー検出回路。
【請求項４】
前記しきい値検出回路によって用いられる一つ以上のしきい値は設定で変えられる請求項１に記載のエコー検出回路。
【請求項５】
発振子と、
特定の周波数で音響信号を送信するように構成された音響送信器と、
音圧を検出するとともに、そのような音圧を、前記音響送信器によって送信された前記音響信号からエコーを検出するために用いることができるアナログ信号に変換するために、前記発振子を使用し、前記アナログ信号の少なくとも派生物をデジタル信号に変換するように構成されたアナログ−デジタルコンバータと、前記アナログ−デジタルコンバータによって供給された前記デジタル信号とデジタル正弦波とをデジタル的に混合する正弦ミキサと、前記アナログ−デジタルコンバータによって供給された前記デジタル信号とデジタル余弦波とをデジタル的に混合する余弦ミキサと、前記正弦ミキサから受信した信号の少なくとも派生物及び前記余弦ミキサから受信した信号の少なくとも派生物によって表されるベクトルの大きさを検出するベクトル大きさ検出機構と、エコーが検出されたか否かを決定するために前記ベクトルの大きさと一つ以上のしきい値とを比較するしきい値検出回路と、を備えたエコー検出回路と、
前記音響送信器の送信周波数、前記アナログ−デジタルコンバータのオーバーサンプリング比並びに前記正弦ミキサ及び前記余弦ミキサの混合比を制御するように構成されたクロックと、
を備えたエコー回路。
【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
長期持続注入による、ヒト患者における疾患または障害を治療するための(E)-N-ヒドロキシ-3-(3-フェニルスルファモイル-フェニル)-アクリルアミド、またはその塩、水和物、もしくは溶媒和物を含む医薬組成物、
ここで該長期持続注入は少なくとも約１２時間にわたるものであり、
ここで該疾患または障害は、
増殖性疾患、または
腫瘍、または
固形腫瘍、または
癌、または
充実性腫瘍癌、または
肺癌、前立腺癌、腎臓癌、肝臓癌、膀胱癌、直腸結腸癌、膵臓癌、胃癌、乳癌、卵巣癌、軟部組織肉腫、骨肉腫、肝細胞癌、皮膚癌、白血病もしくはリンパ腫、または
白血病、または
急性骨髄性白血病(AML)、慢性骨髄性白血病(CML)、急性転化期の慢性骨髄性白血病 (CML-BP)、または骨髄異形成症候群(MDS)、
である、前記組成物。
【請求項２】
長期持続注入が長期持続静脈内注入である、請求項１に記載の医薬組成物。
【請求項３】
長期持続注入または長期持続静脈内注入が少なくとも約24時間の期間である、請求項１または２に記載の医薬組成物。
【請求項４】
長期持続注入または長期持続静脈内注入が少なくとも約48時間の期間である、請求項１または２に記載の医薬組成物。
【請求項５】
長期持続注入または長期持続静脈内注入が、休止期間を介在させて2周期以上実施される、請求項１〜４のいずれか１項に記載の医薬組成物。
【請求項６】
休止期間または各休止期間が少なくとも約24時間である、請求項５に記載の医薬組成物。
【請求項７】
休止期間または各休止期間が少なくとも約6日間である、請求項５に記載の医薬組成物。
【請求項８】
長期持続注入もしくは各長期持続注入または長期持続静脈内注入もしくは各長期持続静脈内注入の間の投与量が、100〜2500 mg/m2/dの(E)-N-ヒドロキシ-3-(3-フェニルスルファモイル-フェニル)-アクリルアミドである、請求項１〜７のいずれか１項に記載の医薬組成物。
【請求項９】
長期持続注入もしくは各長期持続注入または長期持続静脈内注入もしくは各長期持続静脈内注入の間の投与量が、500〜1500 mg/m2/dの(E)-N-ヒドロキシ-3-(3-フェニルスルファモイル-フェニル)-アクリルアミドである、請求項１〜７のいずれか１項に記載の医薬組成物。
【請求項１０】
(E)-N-ヒドロキシ-3-(3-フェニルスルファモイル-フェニル)-アクリルアミドが、長期持続注入による投与に適し、更にL-アルギニンを含有する製剤で提供される、請求項１〜９のいずれか１項に記載の医薬組成物。
【請求項１１】
前記疾患または障害が増殖性疾患である、請求項１〜１０のいずれか１項に記載の医薬組成物。
【請求項１２】
前記疾患または障害が癌である、請求項１〜１０のいずれか１項に記載の医薬組成物。
【請求項１３】
前記疾患または障害が白血病である、請求項１〜１０のいずれか１項に記載の医薬組成物。
【請求項１４】
前記疾患または障害が、急性骨髄性白血病（AML）、慢性骨髄性白血病（CML）、急性転化期の慢性骨髄性白血病（CML-BP）、または骨髄異形成症候群（MDS）である、請求項１〜１０のいずれか１項に記載の医薬組成物。
【請求項１５】
長期持続注入による、ヒト患者における疾患または障害を治療するための医薬の製造における、(E)-N-ヒドロキシ-3-(3-フェニルスルファモイル-フェニル)-アクリルアミド、またはその塩、水和物、もしくは溶媒和物の使用であって、
ここで該長期持続注入は少なくとも約１２時間にわたるものであり、
ここで該疾患または障害は、
増殖性疾患、または
腫瘍、または
固形腫瘍、または
癌、または
充実性腫瘍癌、または
肺癌、前立腺癌、腎臓癌、肝臓癌、膀胱癌、直腸結腸癌、膵臓癌、胃癌、乳癌、卵巣癌、軟部組織肉腫、骨肉腫、肝細胞癌、皮膚癌、白血病もしくはリンパ腫、または
白血病、または
急性骨髄性白血病(AML)、慢性骨髄性白血病(CML)、急性転化期の慢性骨髄性白血病 (CML-BP)、または骨髄異形成症候群(MDS)、
である、前記使用。
【請求項１６】
長期持続注入が長期持続静脈内注入である、請求項１５に記載の使用。
【請求項１７】
長期持続注入もしくは長期持続静脈内注入が少なくとも約24時間の期間である、請求項１５または１６に記載の使用。
【請求項１８】
長期持続注入もしくは長期持続静脈内注入が少なくとも約48時間の期間である、請求項１５または１６に記載の使用。
【請求項１９】
長期持続注入もしくは長期持続静脈内注入が、休止期間を介在させて2周期以上実施される、請求項１５〜１８のいずれか１項に記載の使用。
【請求項２０】
休止期間もしくは各休止期間が少なくとも約24時間である、請求項１９に記載の使用。
【請求項２１】
休止期間もしくは各休止期間が少なくとも約6日間である、請求項１９に記載の使用。
【請求項２２】
長期持続注入もしくは各長期持続注入または長期持続静脈内注入もしくは各長期持続静脈内注入の間の投与量が、100〜2500 mg/m2/dの(E)-N-ヒドロキシ-3-(3-フェニルスルファモイル-フェニル)-アクリルアミドである、請求項１５〜２１のいずれか１項に記載の使用。
【請求項２３】
長期持続注入もしくは各長期持続注入または長期持続静脈内注入もしくは各長期持続静脈内注入の間の投与量が、500〜1500 mg/m2/dの(E)-N-ヒドロキシ-3-(3-フェニルスルファモイル-フェニル)-アクリルアミドである、請求項１５〜２１のいずれか１項に記載の使用。
【請求項２４】
(E)-N-ヒドロキシ-3-(3-フェニルスルファモイル-フェニル)-アクリルアミドが、長期持続注入による投与に適し、更にL-アルギニンを含有する製剤で提供される、請求項１５〜２３のいずれか１項に記載の使用。
【請求項２５】
前記疾患または障害が増殖性疾患である、請求項１５〜２４のいずれか１項に記載の使用。
【請求項２６】
前記疾患または障害が癌である、請求項１５〜２４のいずれか１項に記載の使用。
【請求項２７】
前記疾患または障害が白血病である、請求項１５〜２４のいずれか１項に記載の使用。
【請求項２８】
前記疾患または障害が、急性骨髄性白血病（AML）、慢性骨髄性白血病（CML）、急性転化期の慢性骨髄性白血病（CML-BP）、または骨髄異形成症候群（MDS）である、請求項１５〜２４のいずれか１項に記載の使用。
【誤訳訂正書】
【提出日】平成23年12月28日(2011.12.28)
【誤訳訂正１】
【訂正対象書類名】明細書
【訂正対象項目名】００１６
【訂正方法】変更
【訂正の内容】
【００１６】
【化３】
2011513373.tif 000001
式中
Ｒ１および／またはＲ２は、それぞれ独立して、それぞれ場合により置換されるアリール基またはアラルキル基、直鎖もしくは分岐鎖のＣ１−Ｃ６アルキル基、単環式Ｃ３−Ｃ７シクロアルキル基、または直鎖もしくは分岐鎖のＣ２−Ｃ６アルケニル基を表し、
またはＲ’は、水素原子を表し、ＲはＣ３−Ｃ８単環もしくは二環式シクロアルキルもしくはヘテロシクロアルキル基または場合により置換されるベンジル基から選択される基を表すか、
またはＲとＲ’はＮＨと一緒になって、Ｃ３−Ｃ８単環もしくは二環式ヘテロシクロアルキルを形成し、
Ｖは、窒素原子またはＣ−Ｒ４ラジカルを表し、
Ｒ３および／またはＲ４は、水素、フェニル基を表すか、またはＲ３とＲ４は一緒になってＣ３−Ｃ６アルキレンまたは窒素系複素原子を１個以上含有するＣ３−Ｃ６ヘテロアルキレンラジカルを形成することもでき、ヘテロアルキレンラジカルの炭素原子をカルボニルラジカルの形に修飾することも可能であり、
Ｘは、ヨウ素、臭素、塩素、またはニトラト（−ＯＮＯ２）基を表す。
【誤訳訂正２】
【訂正対象書類名】特許請求の範囲
【訂正対象項目名】全文
【訂正方法】変更
【訂正の内容】
【特許請求の範囲】
【請求項１】
カルベンと窒素含有配位子をトランスで有し、以下の一般式（Ｉ）：
【化１】
2011513373.tif 000002
式中
Ｒ１および／またはＲ２は、それぞれ独立して、それぞれ場合により置換されるアリール基またはアラルキル基、直鎖もしくは分岐鎖のＣ１−Ｃ６アルキル基、単環式Ｃ３−Ｃ７シクロアルキル基、または直鎖もしくは分岐鎖のＣ２−Ｃ６アルケニル基を表し
またはＲ’は、水素原子を表し、ＲはＣ３−Ｃ８単環もしくは二環式のシクロアルキルまたはヘテロシクロアルキル基または場合により置換されるベンジル基から選択される基を表すか、
またはＲとＲ’はＮＨと一緒になって、Ｃ３−Ｃ８単環もしくは二環式ヘテロシクロアルキルを形成し、
Ｖは、窒素原子またはＣ−Ｒ４ラジカルを表し、
Ｒ３および／またはＲ４は、水素、フェニル基を表すか、またはＲ３とＲ４は一緒になってＣ３−Ｃ６アルキレンまたは窒素系複素原子を１個以上含有するＣ３−Ｃ６ヘテロアルキレンラジカルを形成することもでき、ヘテロアルキレンラジカルの炭素原子をカルボニルラジカルの形に修飾することも可能であり
Ｘは、ヨウ素、臭素、塩素、またはニトラト（−ＯＮＯ２）基を表す；
で表されるＮ−複素環式カルベン（ＮＨＣ）−白金錯体。
【請求項２】
Ｒ１および／またはＲ２は、それぞれ独立して、Ｃ１−Ｃ４アルキル基を表し、
および／またはＶはＮまたはＣ−Ｒ４を表し
および／またはＲ３および／またはＲ４は、水素を表すか、一緒になってアルケニレンラジカルを形成し
および／またはＲは、シクロヘキシルまたはノルボルニル単位を表し、Ｒ’はＨであり、および／またはＲおよびＲ’はＮＨと一緒にモルホリンを形成し、
および／またはＸはヨウ素である；
ことを特徴とする、請求項１に記載の式（Ｉ）の化合物。
【請求項３】
Ｒ１および／またはＲ２は、それぞれ独立して、ベンジルおよび／またはアルキルを表し；
および／またはＶはＮまたはＣ−Ｒ４を表し
および／またはＲ３および／またはＲ４は、水素を表すか、一緒になってアルケニレンラジカルを形成し
および／またはＲは、シクロヘキシルまたはノルボルニル単位を表し、Ｒ’はＨであり、および／またはＲおよびＲ’はＮＨと一緒にモルホリンを形成し、
および／またはＸはヨウ素である；
ことを特徴とする、請求項１に記載の式（Ｉ）の化合物。
【請求項４】
Ｒ１および／またはＲ２は、それぞれ独立して、シクロヘキシルメチレン基および／またはアルキル基を表し、
および／またはＶはＮまたはＣ−Ｒ４を表し
および／またはＲ３および／またはＲ４は、水素を表すか、一緒になってアルケニレンラジカルを形成し
および／またはＲは、シクロヘキシルまたはノルボルニル単位を表し、Ｒ’はＨであり、および／またはＲおよびＲ’はＮＨとモルホリンを形成し、
および／またはＸはヨウ素である；
ことを特徴とする、請求項１に記載の式（Ｉ）の化合物。
【請求項５】
ベンジル基はＣＦ３および／またはメトキシ単位で置換される、請求項１から３に記載の化合物。
【請求項６】
水和物または溶媒和物の形の、請求項１に記載の化合物。
【請求項７】
請求項１から３のいずれか一項に記載の式（Ｉ）の化合物、または式（Ｉ）の化合物の水和物もしくは溶媒和物を含むことを特徴とする、医薬。
【請求項８】
請求項１から５のいずれか一項に記載の式（Ｉ）の化合物、またはこの化合物の医薬的に許容される塩、水和物、もしくは溶媒和物、および少なくとも１種の医薬的に許容される賦形剤を含むことを特徴とする、薬学的組成物。
【請求項９】
癌治療を目的とする医薬を調製するための、請求項１から４のいずれか一項に記載の式（Ｉ）の化合物の使用。
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
対象の癌の治療用のｇｐ９６を分泌する細胞を含む医薬の組成物において、前記細胞が、前記対象と同種であり、少なくとも６週間にわたって前記対象に少なくとも９回の投薬で施されることを特徴とする組成物。
【請求項２】
請求項１に記載の組成物において、各々の前記投薬が、１０００万乃至１億の細胞を含むことを特徴とする組成物。
【請求項３】
請求項１又は２に記載の組成物において、各々の前記投薬が、異なる部位で前記対象に施すべく複数の一定分量に分割されることを特徴とする組成物。
【請求項４】
請求項１、２、又は３に記載の組成物において、前記投薬が、前記対象に皮内投与されることを特徴とする組成物。
【請求項５】
請求項１、２、又は３に記載の組成物において、前記投薬が、前記対象に皮下投与されることを特徴とする組成物。
【請求項６】
請求項１、２、又は３に記載の組成物において、前記投薬が、前記対象に腹腔内投与されることを特徴とする組成物。
【請求項７】
請求項１乃至６のいずれか１項に記載の組成物において、少なくとも１８回の投薬が、前記対象に施されることを特徴とする組成物。
【請求項８】
請求項１乃至６のいずれか１項に記載の組成物において、少なくとも２７回の投薬が、前記対象に施されることを特徴とする組成物。
【請求項９】
請求項１乃至８のいずれか１項に記載の組成物において、前記投薬が、少なくとも１０週間にわたって前記対象に施されることを特徴とする組成物。
【請求項１０】
請求項１乃至８のいずれか１項に記載の組成物において、前記投薬が、少なくとも１８週間にわたって前記対象に施されることを特徴とする組成物。
【請求項１１】
請求項１乃至８のいずれか１項に記載の組成物において、前記投薬が、少なくとも２６週間にわたって前記対象に施されることを特徴とする組成物。
【請求項１２】
請求項１乃至１１のいずれか１項に記載の組成物において、前記細胞が、第１のタンパク質をコードする第１の核酸を含む第１のベクターで少なくとも形質移入されていることを特徴とする組成物。
【請求項１３】
請求項１２に記載の組成物において、前記第１のタンパク質が、分泌型のｇｐ９６ポリペプチドであることを特徴とする組成物。
【請求項１４】
請求項１２に記載の組成物において、前記細胞が更に、前記第１のタンパク質と異なる第２のタンパク質をコードする第２の核酸を含む第２のベクターで少なくとも形質移入されていることを特徴とする組成物。
【請求項１５】
請求項１４に記載の組成物において、前記第２のタンパク質が、主要組織適合性複合体分子であることを特徴とする組成物。
【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
治療上有効量のβ−遮断薬と水溶性セルロース誘導体およびポリビニルピロリドンから本質的になるポリマー性ビヒクルとを含んでなる眼用組成物であって、粘度が２０ｃｐｓ〜６０ｃｐｓの透明な水溶液であることを特徴とする、組成物。
【請求項２】
粘度が、３５ｃｐｓ〜５０ｃｐｓであり、透過％が、９５％である、請求項１に記載の眼用組成物。
【請求項３】
β−遮断薬が、マレイン酸チモロールである、請求項１に記載の眼用組成物。
【請求項４】
水溶性セルロース誘導体が、ヒドロキシルプロピルメチルセルロース、ヒドロキシエチルセルロース、ヒドロキシプロピルセルロース、メチルセルロースおよびそれらの混合物からなる群から選択される、請求項１に記載の眼用組成物。
【請求項５】
ヒドロキシルプロピルメチルセルロースの２％ｗ／ｖ水溶液の粘度が２０℃で３５００ｃｐｓ〜５６００ｃｐｓであり、ポリビニルピロリドンの１０％ｗ／ｖ水溶液の粘度が２０℃で３００ｃｐｓ〜７００ｃｐｓである、請求項４に記載の眼用組成物。
【請求項６】
水溶性セルロース誘導体とポリビニルピロリドンの比が、６０：４０〜２０：８０である、請求項１に記載の眼用組成物。
【請求項７】
ポリマー性ビヒクルが、組成物の１．４重量％〜５．０重量％の濃度で存在する、請求項１に記載の眼用組成物。
【請求項８】
ヒドロキシプロピルメチルセルロースが、組成物の０．５重量％の量で存在し、ポリビニルピロリドンが組成物の２．０重量％の量で存在する、請求項１に記載の眼用組成物。
【請求項９】
治療上有効量のβ−遮断薬と水溶性セルロース誘導体およびポリビニルピロリドンから本質的になるポリマー性ビヒクルとを含んでなる眼用組成物であって、水溶性セルロース誘導体とポリビニルピロリドンの比が、６０：４０〜２０：８０であり、上記ポリマーの濃度が組成物の１．４重量％〜５．０重量％である、組成物。
【請求項１０】
水溶性ポリマーが、ヒドロキシルプロピルメチルセルロース、ヒドロキシエチルセルロースおよびヒドロキシルプロピルセルロースからなる群から選択される、請求項９に記載の眼用組成物。
【請求項１１】
ポリビニルピロリドンの分子量が、１，０００，０００〜１，５００，０００である、請求項９に記載の眼用組成物。
【請求項１２】
ポリマー性ビヒクルが、２重量％水溶液の粘度が３５００ｃｐｓ〜５６００ｃｐｓのヒドロキシプロピルメチルセルロースおよび１０％ｗ/ｖ水溶液の粘度が３００ｃｐｓ〜７００ｃｐｓのポリビニルピロリドンから本質的になる、請求項９に記載の眼用組成物。
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
間質細胞及び血液-脳関門（BBB）透過薬を含む、中枢神経系（CNS）損傷を有する哺乳動物の損傷中枢神経系組織における神経回復を強化するための医薬組成物であって、非経口投与用に製剤されている、前記医薬組成物。
【請求項２】
間質細胞及び血液-脳関門（BBB）透過薬を含む、中枢神経系損傷を有する哺乳動物の認識及び／又は運動機能の神経学的回復を強化するための医薬組成物であって、非経口投与用に製剤されている、前記医薬組成物。
【請求項３】
間質細胞及びBBB透過薬を含む、中枢神経系損傷を有する哺乳動物の損傷中枢神経系組織における間質細胞の移植を強化するための医薬組成物であって、非経口投与用に製剤されている、前記医薬組成物。
【請求項４】
間質細胞及び血液-脳関門透過薬を含む、中枢神経系損傷を有する哺乳動物の損傷中枢神経系組織を治療するための医薬組成物であって、非経口投与用に製剤されている、前記医薬組成物。
【請求項５】
前記間質細胞が、骨髄間質細胞、脂肪組織由来間質細胞、肝臓間質細胞及びウォートンジェリー間質細胞からなる群から選択される、請求項1〜4のいずれか1項記載の医薬組成物。
【請求項６】
前記BBB透過薬が、アルキルグリセロール、RMP-7及びマンニトールからなる群から選択される、請求項1〜4のいずれか1項記載の医薬組成物。
【請求項７】
前記間質細胞及びBBB透過薬が血管内に投与されるように用いられることを特徴とする、請求項1〜4のいずれか1項記載の医薬組成物。
【請求項８】
前記間質細胞が動脈内投与され、かつ前記BBB透過薬が静脈内投与されるように用いられることを特徴とする、請求項7記載の医薬組成物。
【請求項９】
前記BBB透過薬が、前記間質細胞の投与前に又は該投与とほぼ同時に投与されるように用いられることを特徴とする、請求項1〜4のいずれか1項記載の医薬組成物。
【請求項１０】
前記間質細胞及びBBB透過薬が、中枢神経系損傷後に投与される、中枢神経系損傷後2時間から投与される、中枢神経系損傷後12時間から投与される、中枢神経系損傷後1週から投与される、又は、中枢神経系損傷後1週〜1月投与されるように用いられることを特徴とする、請求項1〜4のいずれか1項記載の医薬組成物。
【請求項１１】
前記哺乳動物がヒトである、請求項1〜4のいずれか1項記載の医薬組成物。
【請求項１２】
前記中枢神経系損傷が、脳卒中、外傷性脳損傷、脊髄損傷、低酸素-虚血、発作、感染、中毒、及び、虚血性又は出血性脳卒中からなる群から選択される、請求項1〜4のいずれか1項記載の医薬組成物。
【請求項１３】
前記中枢神経系損傷が、テイ-サックス病、サンドホフ病、ハーラー症候群、クラッベ病、パーキンソン病、アルツハイマー病、筋萎縮性側索硬化症（ALS）、ハンチントン病、癲癇、多発性硬化症、棘筋萎縮症（SMA）、フリードライヒ運動失調症、ダウン症候群、ウエルニッケ-コルサコフ症候群及びクロイツフェルト-ヤコブ病からなる群から選択される中枢神経系の疾患、障害又は状態から生じる、請求項1〜4のいずれか1項記載の医薬組成物。
【請求項１４】
前記間質細胞が遺伝子改変されている、請求項1〜4のいずれか1項記載の医薬組成物。
【請求項１５】
前記間質細胞が、神経成長因子、神経膠由来神経栄養因子、毛様体神経栄養因子、脳由来成長因子、血小板由来成長因子、線維芽細胞成長因子及び血管内皮成長因子からなる群から選択される成長因子の発現を増加させるために遺伝子改変されている、請求項14記載の医薬組成物。
【請求項１６】
間質細胞及びBBB透過薬を含む組成物。
【請求項１７】
前記間質細胞が遺伝子改変されている、請求項16記載の組成物。
【請求項１８】
前記間質細胞が、神経成長因子、神経膠由来神経栄養因子、毛様体神経栄養因子、脳由来成長因子、血小板由来成長因子、線維芽細胞成長因子及び血管内皮成長因子からなる群から選択される成長因子の発現を増加させるために遺伝子改変されている、請求項17記載の組成物。
【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
網膜色素上皮(ＲＰＥ)障害に関連する疾患または障害の治療のための、有効量の黒大豆(Glycine max (L.) Merr)産物を含んでなる組成物。
【請求項２】
ＲＰＥの食作用の能力の増大に有効である、請求項１記載の組成物。
【請求項３】
網膜色素上皮に関連する疾患または障害がＲＰＥの機能障害に関連する、請求項１記載の組成物。
【請求項４】
網膜色素上皮障害に関連する疾患または障害が、網膜剥離、視覚機能の喪失、血管網膜関門漏出である、請求項１記載の組成物。
【請求項５】
網膜色素上皮障害に関連する疾患が、増殖性硝子体網膜症、加齢性黄斑変性症、網膜色素変性、糖尿病性網膜症、黄斑変性および脈絡膜血管新生である請求項１記載の組成物。
【請求項６】
液体である、請求項１記載の組成物。
【請求項７】
乾燥形態である、請求項１記載の組成物。
【請求項８】
黒大豆産物が黒大豆の種皮、または黒大豆のもしくは黒大豆種皮のアルコール抽出物である請求項１記載の組成物。
【請求項９】
黒大豆産物が黒大豆の種皮である、請求項８記載の組成物。
【請求項１０】
黒大豆産物が、黒大豆のまたは黒大豆種皮のアルコール抽出物である請求項８記載の組成物。
【請求項１１】
前記アルコール抽出物が、黒大豆のまたは黒大豆種皮のエタノール抽出物である、請求項１０記載の組成物。
【請求項１２】
前記エタノール抽出物が、黒大豆を、水に少なくとも１０％（ｖ／ｖ）のエタノールを含有する溶媒で抽出することにより調製される、請求項１１に記載の組成物。
【請求項１３】
前記溶媒が水に３５％（ｖ／ｖ）のエタノールを含有する、請求項１２に記載の組成物。
【請求項１４】
経口投与される請求項１記載の組成物。
【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
ルカントンを含み、少なくとも一つの代謝拮抗物質との同時及び／又は逐次的投与により癌を処置するための医薬組成物であって、当該少なくとも一つの代謝拮抗物質が葉酸代謝拮抗物質であり、当該ルカントンおよび当該少なくとも一つの代謝拮抗物質が治療的有効量で投与される、医薬組成物。
【請求項２】
癌を処置するための医薬を製造するためのルカントンの使用であって、当該ルカントンは少なくとも一つの代謝拮抗物質と組み合わせて用いるためのものであり、当該少なくとも一つの代謝拮抗物質が葉酸代謝拮抗物質であり、当該ルカントンおよび当該少なくとも一つの代謝拮抗物質が治療的有効量で投与される、使用。
【請求項３】
前記少なくとも一つの代謝拮抗物質が、ペメトレキセドである、請求項１又は２に記載の医薬組成物又は使用。
【請求項４】
前記ルカントンおよび前記少なくとも一つの代謝拮抗物質が同時に投与される、請求項１〜３のいずれか１項に記載の医薬組成物又は使用。
【請求項５】
前記ルカントンおよび前記少なくとも一つの代謝拮抗物質が逐次的に投与される、請求項１〜３のいずれか１項に記載の医薬組成物又は使用。
【請求項６】
前記ルカントンおよび前記少なくとも一つの代謝拮抗物質が、互いの約３時間以内に投与される、請求項５に記載の医薬組成物又は使用。
【請求項７】
前記ルカントンおよび前記少なくとも一つの代謝拮抗物質が、互いの約２時間以内に投与される、請求項５に記載の医薬組成物又は使用。
【請求項８】
前記ルカントンおよび前記少なくとも一つの代謝拮抗物質が、互いの約１時間以内に投与される、請求項５に記載の医薬組成物又は使用。
【請求項９】
前記癌が、肺癌である、請求項１〜８のいずれか１項に記載の医薬組成物又は使用。
【請求項１０】
前記肺癌が、非小細胞肺癌である、請求項９に記載の医薬組成物又は使用。
【請求項１１】
前記治療的有効量のルカントンおよび前記治療的有効量の少なくとも一つの代謝拮抗物質が、１日１回投与されるか、または１日２回以上の投与に分割される、請求項１〜１０のいずれか１項に記載の医薬組成物又は使用。
【請求項１２】
前記１日２回以上の投与が、１日２回の投与である、請求項１１に記載の医薬組成物又は使用。
【請求項１３】
前記ルカントンおよび前記少なくとも一つの代謝拮抗物質が、経口投与される、請求項１〜１２のいずれか１項に記載の医薬組成物又は使用。
【請求項１４】
前記ルカントンおよび前記少なくとも一つの代謝拮抗物質が、非経口投与される、請求項１〜１２のいずれか１項に記載の医薬組成物又は使用。
【請求項１５】
前記ルカントンおよび前記少なくとも一つの代謝拮抗物質が、カプセル剤または錠剤の形で投与される、請求項１〜１４のいずれか１項に記載の医薬組成物又は使用。
【請求項１６】
前記ルカントンおよび前記少なくとも一つの代謝拮抗物質が、一つまたはそれを超えるサイクルで投与される、請求項１〜１５のいずれか１項に記載の医薬組成物又は使用。
【請求項１７】
前記の一つのサイクルが、４日毎での７回を含む、請求項１６に記載の医薬組成物又は使用。
【請求項１８】
前記治療が、放射線療法、ホルモン療法または免疫療法を施すことを更に含む、請求項１〜１７のいずれか１項に記載の医薬組成物又は使用。
【請求項１９】
治療的有効量のルカントンおよび少なくとも一つの代謝拮抗物質、および薬学的に許容しうる担体を含む、医薬組成物。
【請求項２０】
治療的有効量のルカントンおよび薬学的に許容しうる担体を含む医薬組成物、および
治療的有効量の少なくとも一つの代謝拮抗物質および薬学的に許容しうる担体を含む医薬組成物
を含む医薬キットであって、当該少なくとも一つの代謝拮抗物質が葉酸代謝拮抗物質である、医薬キット。